(57)【要約】【課題】回転電機の軸受けは、回転軸を回転させながら支持するため、温度上昇については、他の部分よりも留意をする必要があり、これらが課題である。【解決手段】回転電機のハウジング側面を覆うカバー部材を設け、上記カバー部材でハウジングの側面に沿った面で、回転軸方向に切り取った切り取り線部をハウジング側に略直角に折り曲げるものとする。次に、上記直角に折り曲げた上記切り取り線部は、回転軸と平行ではなく、反負荷側から負荷側に行くに従って、持ち上がるような傾斜を設ける。更に、負荷側のエンドブラケット面を補強する為に、中心軸から周辺に向かって放射状に設けられる補強部材について、軸受け部を支持する部分まで接続されていた部分に切欠き部を設けるようにする。  上記の前記回転電機の取り付け足部から上の方に向かう風の流れが、より軸受け部を支持する部分を流れるようになり、軸受けの放熱、冷却が従来よりも改善されるものである。【選択図】  図１
2007181310.tif 000002
【特許請求の範囲】
【請求項１】
回転軸を有する回転子と、
前記回転子の外側にあり、前記回転子を回転させる回転磁界を発生する固定子と、
前記固定子を支持するハウジングと、
前記回転軸を支持する負荷側の軸受けと、
前記回転軸を支持する反負荷側の軸受けと、
負荷側の前記軸受けを支持する負荷側のエンドブラケットと、
反負荷側の前記軸受けを支持する反負荷側のエンドブラケットと、
前記回転軸の反負荷側に設けられた冷却ファンと、
前記冷却ファンを覆うファンカバーと
を有する回転電機において、
前記ハウジングを覆おうカバー部材を設けたことを特徴とする回転電機。
【請求項２】
請求項１記載の回転電機において、
前記カバー部材でハウジングの側面に沿った面で、回転軸方向に切り取った切り取り線部をハウジング側に略直角に折り曲げることを特徴とする回転電機。
【請求項３】
請求項２記載の回転電機において、
前記カバー部材で上記直角に折り曲げた上記切り取り線部は、反負荷側から負荷側に向かって、持ち上がる傾斜を設けることを特徴とする回転電機。
【請求項４】
回転軸を有する回転子と、
前記回転子の外側にあり、前記回転子を回転させる回転磁界を発生する固定子と、
前記固定子を支持するハウジングと、
前記回転軸を支持する負荷側の軸受けと、
前記回転軸を支持する反負荷側の軸受けと、
負荷側の前記軸受けを支持する負荷側のエンドブラケットと、
反負荷側の前記軸受けを支持する反負荷側のエンドブラケットと、
前記回転軸の反負荷側に設けられた冷却ファンと、
前記冷却ファンを覆うファンカバーと
を有する回転電機において、
負荷側のエンドブラケット面を、中心軸から周辺に向かって放射状に設けられる補強部材を、軸受け部を支持する部分まで接続されていた部分に切欠き部を設けることを特徴とする回転電機。
【発明の詳細な説明】
【技術分野】
【０００１】
本発明は、回転電機を提供する技術に関する
【背景技術】
【０００２】
回転電機にて発生する熱を冷却する技術について、特許文献１に記載がある。特許文献１では、軸受近傍に環状の冷却空間を設けて、冷却向上を図る全閉形電動機についての開示がある。
【０００３】
【特許文献１】特開２００１−２３８３９６号公報(第３−４頁、図１)
【発明の開示】
【発明が解決しようとする課題】
【０００４】
上記などの従来技術も含め、回転電機では、巻き線に電流が流れることによる発熱、回転子が回転することによる種々の要因による発熱等があるが、この回転子の回転軸を支持する軸受けにも前記熱が伝導するので、温度上昇する。特に軸受けは、回転軸を回転させながら支持するため、温度上昇については、他の部分よりも留意をする必要があり、これらが課題である。
【０００５】
従って、本発明では、これらを課題とする。
【課題を解決するための手段】
【０００６】
上記課題等を解決するにあたり、軸受け部の放熱、冷却について、着目する。
【０００７】
通常、冷却ファンを有する回転電機では、負荷が取り付けられない側、所謂反負荷側に冷却ファンがあるので、反負荷側の軸受けは、前記冷却ファンの風を受け易いので、放熱、冷却が行われ、温度上昇については、問題となることが少ないとされている。
【０００８】
一方、負荷側の軸受けは、前記冷却ファンから離れているので、冷却ファンの風を反負荷側の軸受けよりは、受け難い。従って、負荷側の軸受けは、温度上昇について、考慮を必要とする場合がある。これに対しては、負荷側の軸受けを、風などによって、放熱、冷却させるようにすることが考えられる。
【０００９】
上記放熱、冷却を図るために、次のように行うものとする。
【００１０】
まず、第１には、回転電機のハウジング側面を覆うカバー部材を設ける。当該カバー部材によって、冷却ファンからの風は、ハウジングの側面に沿って流れ、負荷側のエンドブラケット近傍まで至るようになる。
【００１１】
そして、上記カバー部材でハウジングの側面に沿った面で、回転軸方向に切り取った切り取り線部をハウジング側に略直角に折り曲げるものとする。このように折り曲げることで、冷却ファンからの風をよりエンドブラケット近傍まで、案内しながら導くことを可能とする。
【００１２】
次に、上記直角に折り曲げた上記切り取り線部は、回転軸と平行ではなく、反負荷側から負荷側に行くに従って、持ち上がるような傾斜を設けるようにする。こうすることで、負荷側のエンドブラケット近傍では、前記回転電機の取り付け足部から上の方に向かう風の流れを発生させるようにする。
【００１３】
第２に、負荷側のエンドブラケット面を補強する為に、中心軸から周辺に向かって放射状に設けられる補強部材について、軸受け部を支持する部分まで接続されていた部分に切欠き部を設けるようにする。こうすることで、上記の前記回転電機の取り付け足部から上の方に向かう風の流れが、より軸受け部を支持する部分を流れるようになり、軸受けの放熱、冷却が従来よりも改善されるものである。
【発明の効果】
【００１４】
本発明によれば、従来よりも、より信頼性の向上した回転電機を提供可能となる。
【発明を実施するための最良の形態】
【００１５】
以下、本発明の実施例を図面を用いて説明する。
【実施例１】
【００１６】
図１は、本発明の実施例を説明する側面図である。
【００１７】
図１において、回転電機の回転軸１を有する回転子２の外側には、回転子２を回転させる回転磁界を発生する固定子３があり、固定子３は、ハウジング４にて支持されている。
【００１８】
一方、回転軸１は、負荷側の軸受け５と、反負荷側の軸受け6にて回転自在に支持されている。また、軸受け５、6はエンドブラケット7、8にて支持されている。なお、回転軸１の反負荷側には、冷却ファン9が設けられ、回転電機を冷却する風を発生させており、冷却ファン9は、ファンカバー10にて覆われている。
【００１９】
また、負荷側のエンドブラケット7の前面には、負荷を取付る際に使用されるフランジ面11が設けられている。
【００２０】
上記図１において、本実施例では、カバー部材12を設けている。カバー部材12が図１の側面図では、最上面に位置しており、ハウジング４、回転子２、固定子３等は、カバー部材１2の下面に位置することになるので、作図上は、破線、隠れ線にて記載すべきであるが、見やすくする為に、これらの部分を全て実線にて記載している。
【００２１】
図１において、冷却ファン9からの風は、当該カバー部材１2によって、ハウジング４の側面に沿って流れ、負荷側のエンドブラケット7近傍まで至るようにしている。
【００２２】
図2は図1におけるカバー部材12である。
カバー部材12は図1のハウジング4に取付けられ、両端下部をハウジング側に略直角に折り曲げ且つ、傾斜を持たせた部材13を設けている。
【００２３】
図3は図1の正面図である。
図2のカバー部材12、13の案内によって、負荷側エンドブラケット7の近傍まで至った風は、負荷側エンドブラケット7を構成する補強部材14及び軸受け箱15の間を流れ、軸受を冷却する。
【図面の簡単な説明】
【００２４】
【図１】本発明の実施例を説明する側面図である。
【図２】図1におけるカバー部材12である。
【図３】図1の正面図である。
【符号の説明】
【００２５】
1：回転軸、9：冷却ファン、2：回転子、10：ファンカバー、3：固定子、11：フランジ、4：ハウジング、12：カバー部材、5：負荷側軸受け、13：カバー部材、6：反負荷側軸受け、14：補強部材、7：負荷側エンドブラケット、15：軸受け箱、8：反負荷側エンドブラケット。
【図１】
2007181310.tif 000003
【図２】
2007181310.tif 000004
【図３】
2007181310.tif 000005